(57)【要約】生産性と形状保持性に優れるフットウェアを提供する。少なくとも前後一対の針床を備える横編機で無縫製に編成され、かつ、第一編糸と、第一編糸に沿って編み込まれる第二編糸とを用いて編成された混成部（２０）を有するベース編地部（２）を備えるフットウェア（１）である。このフットウェア（１）の混成部（２０）を構成する第一編糸は、熱融着糸ではない編糸であり、第二編糸は、熱融着性および熱収縮性を有する熱融着糸である。第二編糸は、熱によって収縮する材料からなる芯部と、この芯部よりも低融点の材料からなる鞘部とを備える構成とすることが好ましい。
2013108506.tif 000002
【特許請求の範囲】
【請求項１】
フットウェアにおいて、  少なくとも前後一対の針床を備える横編機で無縫製に編成され、かつ、第一編糸と、第一編糸に沿って編み込まれる第二編糸とを用いて編成された混成部を有するベース編地部を備え、  前記第一編糸は、熱融着糸ではない編糸であり、  前記第二編糸は、熱融着性および熱収縮性を有する熱融着糸であることを特徴とするフットウェア。
【請求項２】
前記熱融着糸は、熱により収縮する芯部と、その芯部よりも低融点の鞘部と、を備えることを特徴とする請求項１に記載のフットウェア。
【請求項３】
前記混成部は、前記第一編糸と第二編糸を用いたプレーティング編成により編成されていることを特徴とする請求項１または２に記載のフットウェア。
【請求項４】
フットウェアの着用時に前記ベース編地部の内側または外側に配置される追加編地部を備え、  前記フットウェアの履口部の位置で、前記ベース編地部と前記追加編地部とが無縫製で連結されていることを特徴とする請求項１〜３のいずれか一項に記載のフットウェア。
【請求項５】
前記ベース編地部の混成部は、前記第一編糸と第二編糸を用いたプレーティング編成により編成されており、  前記混成部の第二編糸が配置される面は、前記追加編地部に対向して配置されることを特徴とする請求項４に記載のフットウェア。
【請求項６】
足型に被せた状態で熱処理されることで、前記足型に対応した形状に保形され、  前記混成部において、熱処理されることにより溶融した前記第二編糸が前記第一編糸と一体化していることを特徴とする請求項１〜５のいずれか一項に記載のフットウェア。
【請求項７】
少なくとも前後に対向する一対の針床を備える横編機を用いて無縫製に編地を編成する編地の編成方法において、  前記編地がフットウェアであり、  熱融着糸ではない第一編糸と、熱融着性および熱収縮性を有する熱融着糸である第二編糸とを用意し、  前記第一編糸と、この第一編糸に沿って編み込まれる前記第二編糸とで、前記フットウェアの少なくとも一部を編成することを特徴とする編地の編成方法。
【発明の詳細な説明】
【技術分野】
【０００１】  本発明は、横編機で無縫製に編成されたソックスやシューズなどのフットウェア、およびそのフットウェアを作製するための編地の編成方法に関する。
【背景技術】
【０００２】  例えば特許文献１には、フットウェアの一種であるシューズが開示されている。このシューズは、アッパー（特許文献１では甲被部と表記）と、アッパーに取り付けられるソールと、を備え、アッパーの一部に合成樹脂の繊維が編込まれた『編込み部分』を有する。このような『編込み部分』をアッパーに形成することで、アッパーを足型（特許文献１では靴型と表記）に被せて熱処理したときに、足型の形状に沿った形状にアッパーを成形することができる。
【先行技術文献】
【特許文献】
【０００３】
【特許文献１】特許第３８６５３０７号公報
【発明の概要】
【発明が解決しようとする課題】
【０００４】  従来のシューズには、生産性が芳しくないという問題がある。当該シューズは、複数のパーツを立体的に縫製することで形成されているため、各パーツの用意に手間がかかるし、各パーツを縫製する作業も煩雑であるからである。また、特許文献１のシューズには、当該シューズの『編込み部分』が合成樹脂の繊維のみからなるため、形状保持性が芳しくないという問題もある。【０００５】  本発明は上記事情に鑑みてなされたものであり、本発明の目的は、生産性および形状保持性に優れるフットウェアを提供することにある。また、本発明の別の目的は、本発明のフットウェアを製造するための編地の編成方法を提供することにある。
【課題を解決するための手段】
【０００６】  本発明のフットウェアは、少なくとも前後一対の針床を備える横編機で無縫製に編成され、かつ、第一編糸と、第一編糸に沿って編み込まれる第二編糸とを用いて編成された混成部を有するベース編地部を備える。この本発明のフットウェアの混成部に使用される第一編糸は、熱融着糸ではない編糸であり、第二編糸は、熱融着性および熱収縮性を有する熱融着糸であることを特徴とする。【０００７】  本発明のフットウェアとしては、ソックス、足袋、シューズ、あるいはシューズのアッパーなどを挙げることができる。また、本発明のフットウェアにおける混成部は、フットウェア全体に設けられていても良いし、フットウェアの一部に設けられていても良い。さらに、本発明のフットウェアにおける混成部は一様に形成されている必要はない。例えば、フットウェアの或る部分における混成部と、他の部分における混成部とで、編成組織、使用する編糸の種類、あるいは編糸の番手などが異なっていても良い（もちろん、それらが同じでも構わない）。【０００８】  本発明のフットウェアの一形態として、第二編糸を構成する熱融着糸は、熱により収縮する芯部と、その芯部よりも低融点の鞘部と、を備える芯鞘構造の熱融着糸である形態とすることが挙げられる。【０００９】  ここで、芯鞘構造の熱融着糸における芯部および鞘部の融点は、フットウェアの一般的な使用環境の温度よりも高温とする。例えば、芯部と鞘部の融点は、１２０℃以上とすることが好ましい。【００１０】  本発明のフットウェアの一形態として、フットウェアに備わる混成部は、第一編糸と第二編糸を用いたプレーティング編成により編成される形態とすることが挙げられる。【００１１】  別々の給糸口から第一編糸と第二編糸を給糸させるプレーティング編成（例えば、国際公開第２００８／１３９７１０号公報、特許第３８９９２６９号公報を参照）を行なえば、先行の給糸口から給糸される主糸が混成部の表面側に配置され、後行の給糸口から給糸される添糸が混成部の裏面側に配置される。つまり、混成部がプレーティング編成されたことは、混成部を見れば明らかである。なお、当該混成部は、一つの給糸口から第一編糸と第二編糸を給糸させることで編成しても構わない。この場合、別々の編糸コーンから供給される第一編糸と第二編糸とを一つの給糸口で一纏めにしても良いし、撚り合せ等で予め一纏めにされた第一編糸と第二編糸とを一つの給糸口から給糸しても良い。その他、第一編糸で編成される編目に、第二編糸をタックすることで、第一編糸に沿って第二編糸を編み込んでも良い。【００１２】  本発明のフットウェアの一形態として、フットウェアの着用時に上記ベース編地部の内側または外側に配置される追加編地部を備え、フットウェアの履口部の位置で、ベース編地部と追加編地部とが無縫製で連結されている形態を挙げることができる。なお、追加編地部も、第一編糸と第二編糸とを用いた混成部を有していても良い。【００１３】  ベース編地部の混成部がプレーティング編成により編成され、かつ追加編地部を備える本発明のフットウェアの一形態として、混成部の第二編糸が配置される面は、追加編地部に対向して配置される形態を挙げることができる。【００１４】  既述のようにプレーティング編成を行なった混成部では、熱融着糸である第二編糸が、混成部の表面側、もしくは裏面側のいずれかに配置される。その混成部の第二編糸が配置される面を、上記追加編地部をベース編地部の内側または外側に配置したときに追加編地部に対向して配置されるようにすると、ベース編地部と追加編地部との間に熱融着糸である第二編糸が配置される。ここで、追加編地部も混成部を有する場合、ベース編地部の第二編糸が配置される面と、追加編地部の第二編糸が配置される面とが対向するようにすることが好ましい。【００１５】  本発明のフットウェアの一形態として、足型に被せた状態で熱処理されることで、足型に対応した形状に保形される形態を挙げることができる。その場合、フットウェアの外側編地部の混成部において、熱処理されることにより溶融した第二編糸が第一編糸と一体化している。特に、第二編糸が芯鞘構造の熱融着糸である場合、熱処理によって溶融した第二編糸の鞘部によって、第二編糸の芯部と第一編糸とが引き揃えられた状態で一体化される。【００１６】  上述したフットウェアは、少なくとも前後に対向する一対の針床を備える横編機を用いて無縫製に編地を編成する本発明の編地の編成方法により作製することができる。即ち、本発明の編地の編成方法は、熱融着糸ではない第一編糸と、熱融着性および熱収縮性を有する熱融着糸である第二編糸とを用意し、第一編糸と、この第一編糸に沿って編み込まれる第二編糸とで、フットウェアの少なくとも一部を編成することを特徴とする。
【発明の効果】
【００１７】  本発明のフットウェアは、無縫製で編成されているため、生産性に優れる。また、本発明のフットウェアは、足型に装着された状態で熱処理されることで形状保持性に優れるフットウェアとなる。それは、熱処理によって溶融した第二編糸が第一編糸と一体化するため、混成部において第一編糸が骨格となり、溶融した第二編糸がその骨格を補強したような状態となるからである。さらに、本発明のフットウェアは、優れた見栄えを備える。それは、第一編糸が熱融着糸でないため、本発明のフットウェアを熱処理しても、フットウェアの混成部における第一編糸が溶融せず、混成部の編組織が編成時の状態で保持されるからである。【００１８】  芯鞘構造の第二編糸を用いて編成された本発明のフットウェアは、より優れた形状保持性を発揮する。このフットウェアを足型に装着して熱処理したときに、第二編糸の芯部が収縮してフットウェアが足型に沿った形状になり、さらに第二編糸の鞘部によって芯部と第一編糸とが一体化されるからである。【００１９】  混成部をプレーティング編成により形成した本発明のフットウェアは、優れた見栄えを備える。プレーティング編成によれば、主糸（第一編糸と第二編糸の一方）が混成部の表側に配され、添糸（第一編糸と第二編糸の他方）が混成部の裏側に隠れ、混成部の表側から見え難い状態にできる、即ち、混成部において第一編糸と第二編糸が斑に見える状態とならないからである。なお、第一編糸と第二編糸のどちらを先行の給糸口から給糸される編糸とするかは特に限定されないが、第一編糸を先行の給糸口から給糸される編糸とすることが好ましい。第一編糸が混成部の外観を決定する編糸であるからである。【００２０】  ベース編地部に加え追加編地部を有する本発明のフットウェアは、優れた履き心地を備える。着用者の足に面する追加編地部をベース編地部と異なる質感にすることができるからである。【００２１】  プレーティング編成された混成部の第二編糸が配置される面を追加編地部の側に配置することで、ベース編地部と追加編地部との接着性を高めることができる。
【図面の簡単な説明】
【００２２】
【図１】実施形態に示すシューズの概略斜視図である。
【図２】図１に示すシューズの熱処理前の状態を示す概略図である。
【図３】図２に示すシューズの編成イメージ図である。
【発明を実施するための形態】
【００２３】  本発明のフットウェアとして、図１〜３を参照し、シューズ１を編成する例を説明する。
【００２４】  図１に示すシューズ１は、足の甲側を覆うアッパーと、足裏側を覆うソールと、が一体となったシューズである。このシューズ１のソールの外側に、例えば樹脂やゴムなどの補強ソール材（図示せず）を取り付けても良い。ソールに対する補強ソール材の取り付けは、接着剤により行なうと良い。もちろん、ソールに樹脂やゴムなどを含浸させて補強ソール材を形成しても良い。
【００２５】  本実施形態のシューズ１は、シューズ１の外側に配置される外側編地部（ベース編地部）２と、シューズ１の内側に配置される内側編地部（追加編地部）３と、を備える。外側編地部２と内側編地部３とは、シューズ１の履口部１１の位置で連結されている。このシューズ１の最も特徴とするところは、（１）シューズ１全体が横編機を用いて無縫製に編成された編地であること、（２）シューズ１を構成する外側編地部２の少なくとも一部（混成部２０）が、熱融着糸ではない第一編糸と、この第一編糸に沿って編み込まれる熱融着糸である第二編糸とで編成されていること、である。
【００２６】  図１に示すシューズ１を作製するには、まず、横編機を用いて図２に示すように、外側編地部２と内側編地部３とが一続きとなった編地（シューズ１）を編成する。その際、内側編地部３は、後述する足型の形状にほぼ沿った形状で、足型の大きさよりも若干大きめに形成すると共に、外側編地部２は内側編地部３よりも若干大きめに形成しておくことが好ましい。なお、編成に使用する横編機は特に限定されず、例えば２枚ベットの横編機でも良いし、４枚ベットの横編機でも良い。
【００２７】  図２に示すシューズ１の編成工程を模式的に示す編成イメージ図を図３に示す。図３に示す部位α〜νは、図２の部位α〜νに対応する。また、図３の部位α〜νの横の四角囲みは、当該部位を編成する針床（Ｆ＝前針床、Ｂ＝後針床）を示す。
【００２８】  図３に示すように、まず内側編地部３の甲側であって、足指の付け根に相当する部位αから編成を開始し、足指を包む内側編地部３の部位βを編成する。次いで、減らしと増やしを使いながら足の凹凸に対応するように内側編地部３の部位γ，δ，ε，ζ，ηを形成する（部位γはＦ，Ｂを用いた筒状編成、部位δはＦ,Ｂを用いたＣ字状編成）。そして、部位θをリブ組織で編成し、再び増やしと減らしを使いながら足の凹凸に対応するように外側編地部２の部位ι，κ，λ，μを編成し（部位κはＦ,Ｂを用いたＣ字状編成、部位λはＦ，Ｂを用いた筒状編成）、足指の付け根に相当する部位νで編成を終了する。
【００２９】  ここで、本実施形態では、内側編地部３を編成する編糸と、外側編地部２を編成する編糸とを、異ならせた。内側編地部３は、着用者の足に面して配置されるので、着用者の履き心地を向上させる編糸を用いて編成した。そのような編糸としては、例えば、吸湿性、防臭性、および抗菌性の少なくとも一つの特性を備える編糸を挙げることができる。なお、熱融着糸は、熱処理によって一旦溶融すると、その肌触りが悪くなるので、熱融着糸を内側編地部３の編糸に採用しない方が良い。
【００３０】  一方、外側編地部２は、リブ組織部２５以外は、熱融着糸でない第一編糸（内側編地部３の編糸とは種類が異なる編糸）と、熱融着糸である第二編糸とを引き揃えて編成された混成部２０とした。本実施形態では、先行の給糸口から第一編糸を給糸させ、後行の給糸口から第二編糸を給糸させるプレーティング編成を行ない、熱融着糸ではない第一編糸がシューズ１の外表面に表れるようにした。なお、リブ組織部２５の編成には第一編糸のみを用い、シューズ１の履口部１１から足を挿入し易くした。
【００３１】  第一編糸には、熱融着糸でない編糸を利用する。編糸の素材としてはポリエステルやナイロンなどが好ましいが、これらに限定されない。また、当該編糸は、モノフィラメント糸でも良いし、マルチフィラメント糸でも良い。特に、マルチフィラメント糸が好ましく、本実施形態では第一編糸をマルチフィラメント糸とした。
【００３２】  熱融着糸である第二編糸には、熱により収縮する材料からなる芯部と、その芯部よりも低融点の材料からなる鞘部とを備える芯鞘構造の熱融着糸を利用した。この熱融着糸の芯部の収縮開始温度（融点よりも低い）、および鞘部の融点は、例えば１２０℃以上であることが好ましい。このような熱融着糸としては、例えば、ＤＩＡＦＬＯＲＡ（東洋紡績株式会社の登録商標）を挙げることができる。
【００３３】  なお、第二編糸は、芯鞘構造に限定されるわけではない。例えば、熱融着性を有する編糸と、熱収縮性を有する編糸とをそれぞれ用意し、編成時にこれらの編糸を引き揃えて第二編糸としても良いし、編成前にこれらの編糸を撚り合わせて第二編糸としても良い。
【００３４】  以上説明した構成を備える図２の編地（シューズ１）を編成したら、その編地の内側編地部３を、リブ組織部２５を通して外側編地部２の内部に折り込んだ状態で足型に被せ、第二編糸の鞘部の融点以上の温度であって、芯部の収縮開始温度以上、芯部の融点未満の温度で熱処理する。そうすることで、第二編糸の芯部が収縮することに伴って外側編地部２および内側編地部３が足型にぴったりと沿った形状になる。その際、溶融した第二編糸の鞘部が、第一編糸の外周を包み込むと共に、第一編糸の各フィラメントの隙間に入り込んで、第二編糸の芯部と第一編糸とを強固に一体化させる。また、溶融した鞘部は、外側編地部２と内側編地部３とを貼り合わせる役割も果たす。
【００３５】  最後に、足型から熱処理後の編地を取り外すことで、図１に示すシューズ１が得られる。得られたシューズ１は、足型に沿った形状であり、かつ形状保持性に優れる。このシューズ１が形状保持性に優れるのは、外側編地部２において第一編糸と第二編糸の芯部とが骨格をなし、その骨格の形状を溶融した第二編糸の鞘部が保持するからである。また、このシューズ１では、履口部１１が熱融着糸でない編糸からなるリブ組織部２５となっているため、履口部１１が伸び易く、履き易いシューズ１となっている。
【００３６】  なお、本発明は上述した実施形態に限定されるわけではなく、本発明の要旨を逸脱しない範囲で適宜変更して実施することができる。例えば、実施形態１とは異なり、内側編地部３が無いシューズ１であっても良い。また、外側編地部２の混成部２０において、部分的に第一編糸・第二編糸の種類や番手を換えても良い。例えば、踵に相当する部分で第一編糸を太くして、当該部分の強度を向上させたり、土踏まずに相当する部分で第二編糸の収縮性を高くして、当該部分により足の締めつけを強くしても良い。もちろん、シューズ１において、踵に相当する部分や土踏まずに相当する部分など、特定の部分にのみ混成部２０を設けても良い。
【符号の説明】
【００３７】１  シューズ（フットウェア）  １１  履口部  α〜ν  部位２  外側編地部（ベース編地部）  ２０  混成部  ２５  リブ組織部３  内側編地部（追加編地部）
【図１】
2013108506.tif 000003
【図２】
2013108506.tif 000004
【図３】
2013108506.tif 000005
【国際調査報告】
2013108506.tif 000006
2013108506.tif 000007
2013108506.tif 000008
2013108506.tif 000009